【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  所定のコンテンツに対して組合わせる素材の選択結果を受付ける素材選択受付手段と、
選択された前記素材に可能な組合わせ方を取得する組合わせ方取得手段と、
取得された前記組合わせ方から、選択された前記素材の前記コンテンツに対する組合わせ方を選択可能なテンプレートを作成するテンプレート作成手段とを備える、サーバ。
【請求項２】  通信端末の機器情報を取得する機器情報取得手段と、
所定のコンテンツに対して組合わせる素材の選択結果を受付ける素材選択受付手段と、
選択された前記素材に可能な組合わせ方を取得する組合わせ方取得手段と、
取得された前記機器情報と前記組合わせ方とから、選択された前記素材の前記コンテンツに対する組合わせ方を選択可能なテンプレートを作成するテンプレート作成手段とを備える、サーバ。
【請求項３】  前記素材に関する情報を格納する素材情報格納手段と、
前記素材情報格納手段から読出した素材に関する情報に基づいて素材選択用のリストを作成する素材リスト作成手段と、
作成された前記素材選択用のリストを送信する素材リスト送信手段とをさらに備え、
前記素材選択受付手段は、送信された前記素材選択用のリストに基づく前記素材の選択結果を受付ける、請求項１または２に記載のサーバ。
【請求項４】  前記素材に関する情報を格納する素材情報格納手段と、
前記素材情報格納手段から読出した素材に関する情報と、前記機器情報取得手段にて取得した前記通信端末に関する情報とに基づいて、素材選択用のリストを作成する素材リスト作成手段と、
作成された前記素材選択用のリストを送信する素材リスト送信手段とをさらに備え、
前記素材選択受付手段は、送信された前記素材選択用のリストに基づく前記素材の選択結果を受付ける、請求項２に記載のサーバ。
【請求項５】  前記組合わせ方取得手段の取得する前記組合わせ方は、素材の位置、色、形状のパターン、縮尺、素材に含まれる線図の太さ、動作、および再生時間の少なくとも１つで規定される、請求項３または４に記載のサーバ。
【請求項６】  前記素材情報格納手段は、前記素材に可能な組合わせ方を選択する方法に関する情報を格納し、
前記テンプレート作成手段は、前記素材情報格納手段より前記情報を取得して前記テンプレートを作成する、請求項３〜５のいずれかに記載のサーバ。
【請求項７】  前記素材の組合わせ方を選択する方法に関する情報を格納する選択方法テンプレート格納手段をさらに備え、
前記テンプレート作成手段は、前記選択方法テンプレート格納手段より前記情報を取得して前記テンプレートを作成する、請求項１〜５のいずれかに記載のサーバ。
【請求項８】  作成した前記テンプレートを出力するテンプレート出力手段と、
出力した前記テンプレートに基づいて、選択された前記素材の前記コンテンツに対する組合わせ方の選択結果を受付ける素材組合わせ方受付手段と、
前記選択結果に基づいて、コンテンツを作成するコンテンツ作成手段とをさらに備える、請求項１〜７のいずれかに記載のサーバ。
【請求項９】  所定のコンテンツに対して組合わせる素材を選択する素材選択手段と、
前記素材選択手段における選択結果を出力する素材選択出力手段と、
選択された前記素材の前記コンテンツに対する組合わせ方を選択可能なテンプレートを取得するテンプレート取得手段と、
取得した前記テンプレートを表示するテンプレート表示手段とを備える、通信端末。
【請求項１０】  当該通信端末に関する情報を送信する機器情報送信手段と、
所定のコンテンツに対して組合わせる素材を選択する素材選択手段と、
前記素材選択手段における選択結果を出力する素材選択出力手段と、
選択された前記素材の前記コンテンツに対する組合わせ方を選択可能なテンプレートを取得するテンプレート取得手段と、
取得した前記テンプレートを表示するテンプレート表示手段とを備える、通信端末。
【請求項１１】  前記テンプレートに基づいて、前記テンプレートから選択した素材の組合わせ方の選択結果を出力する素材組合わせ方出力手段をさらに備える、請求項９または１０に記載の通信端末。
【請求項１２】  所定のコンテンツに対して組合わせる素材を選択する素材選択手段と、
選択された前記素材に可能な組合わせ方を取得する組合わせ方取得手段と、
取得された前記組合わせ方から、選択された前記素材の前記コンテンツに対する組合わせ方を選択可能なテンプレートを作成するテンプレート作成手段とを備える、通信端末。
【請求項１３】  所定のコンテンツに対して組合わせる素材を選択する素材選択手段と、
選択された前記素材に可能な組合わせ方を取得する組合わせ方取得手段と、
取得された前記組合わせ方から、当該通信端末に関する情報に合わせて、選択された前記素材の前記コンテンツに対する組合わせ方を選択可能なテンプレートを作成するテンプレート作成手段とを備える、通信端末。
【請求項１４】  前記素材に関する情報を格納する素材情報格納手段と、
前記素材情報格納手段から読出した素材に関する情報に基づいて素材選択用のリストを作成する素材リスト作成手段とをさらに備え、
前記素材選択手段は、前記作成された素材選択用のリストに基づいて前記素材を選択する、請求項１２または１３に記載の通信端末。
【請求項１５】  前記組合わせ方取得手段の取得する前記組合わせ方は、素材の位置、色、形状のパターン、縮尺、素材に含まれる線図の太さ、動作、および再生時間の少なくとも１つで規定される、請求項１４に記載の通信端末。
【請求項１６】  前記素材情報格納手段は、前記素材に可能な組合わせ方を選択する方法に関する情報を格納し、
前記テンプレート作成手段は、前記素材情報格納手段より前記情報を取得して前記テンプレートを作成する、請求項１４または１５に記載の通信端末。
【請求項１７】  前記素材の組合わせ方を選択する方法に関する情報を格納する選択方法テンプレート格納手段をさらに備え、
前記テンプレート作成手段は、前記選択方法テンプレート格納手段より前記情報を取得して前記テンプレートを作成する、請求項１２〜１５のいずれかに記載の通信端末。
【請求項１８】  作成した前記テンプレートに基づいて、前記素材の前記コンテンツに対する組合わせ方を選択するテンプレート選択手段と、
前記テンプレート選択手段における選択結果に基づいて、コンテンツを作成するコンテンツ作成手段とをさらに備える、請求項１２〜１７のいずれかに記載の通信端末。
【請求項１９】  サーバと通信端末とを含むコンテンツ作成システムであって、
前記通信端末は、コンテンツの作成に用いる素材の選択結果を前記サーバに対して出力する素材選択出力手段を備え、
前記サーバは、
前記通信端末より、所定のコンテンツに対して組合わせる素材の選択結果を受付ける素材選択受付手段と、
選択された前記素材に可能な組合わせ方を取得する組合わせ方取得手段と、
取得した前記組合わせ方から、選択された前記素材の前記コンテンツに対する組合わせ方を選択可能なテンプレートを作成するテンプレート作成手段と、
作成した前記テンプレートを前記通信端末に対して出力するテンプレート出力手段と、
前記通信端末より、前記出力したテンプレートに基づいて組合わせ方の選択結果を受付ける素材組合わせ方受付手段と、
前記選択結果に基づいて、コンテンツを作成するコンテンツ作成手段とを備え、
前記通信端末は、
前記所定のコンテンツに組合わせる素材の選択結果を前記サーバに対して出力する素材選択出力手段と、
前記サーバから取得した前記テンプレートに基づいて、前記組合わせ方の選択結果を前記サーバに対して出力する素材組合わせ方出力手段とを備える、コンテンツ作成システム。
【請求項２０】  所定のコンテンツに対して組合わせる素材の選択結果を受付ける素材選択受付ステップと、
選択された前記素材に可能な組合わせ方を取得する組合わせ方取得ステップと、
取得された前記組合わせ方から、選択された前記素材の前記コンテンツに対する組合わせ方を選択可能なテンプレートを作成するテンプレート作成ステップと、
作成した前記テンプレートを出力するテンプレート出力ステップと、
出力した前記テンプレートに基づいて、前記組合わせ方の選択結果を受付ける素材組合わせかた受信してプログラムと、
選択された前記組合わせ方に基づいて、コンテンツを作成するコンテンツ作成ステップとを備える、コンテンツ作成方法。
【手続補正２】
【補正対象書類名】明細書
【補正対象項目名】００１３
【補正方法】変更
【補正の内容】
【００１３】
【課題を解決するための手段】
上記目的を達成するために、本発明のある局面に従うと、サーバは、所定のコンテンツに対して組合わせるの素材の選択結果を受付ける素材選択受付手段と、選択された素材に可能な組合わせ方を取得する組合わせ方取得手段と、取得された組合わせ方から、選択された素材の上記コンテンツに対する組合わせ方を選択可能なテンプレートを作成するテンプレート作成手段とを備える。
【手続補正３】
【補正対象書類名】明細書
【補正対象項目名】００１４
【補正方法】変更
【補正の内容】
【００１４】
本発明の他の局面に従うと、サーバは、通信端末の機器情報を取得する機器情報取得手段と、所定のコンテンツに対して組合わせる素材の選択結果を受付ける素材選択受付手段と、選択された素材に可能な組合わせ方を取得する組合わせ方取得手段と、取得された機器情報と上記組合わせ方とから、選択された素材の上記コンテンツに対する組合わせ方を選択可能なテンプレートを作成するテンプレート作成手段とを備える。
【手続補正４】
【補正対象書類名】明細書
【補正対象項目名】００１５
【補正方法】変更
【補正の内容】
【００１５】
また、サーバは、素材に関する情報を格納する素材情報格納手段と、素材情報格納手段から読出した素材に関する情報に基づいて素材選択用のリストを作成する素材リスト作成手段と、作成された素材選択用のリストを送信する素材リスト送信手段とをさらに備え、素材選択受付手段は、送信された素材選択用のリストに基づく素材の選択結果を受付けることが望ましい。
【手続補正５】
【補正対象書類名】明細書
【補正対象項目名】００１６
【補正方法】変更
【補正の内容】
【００１６】
また、サーバは、素材に関する情報を格納する素材情報格納手段と、素材情報格納手段から読出した素材に関する情報と、機器情報取得手段にて取得した通信端末に関する情報とに基づいて、素材選択用のリストを作成する素材リスト作成手段と、作成された素材選択用のリストを送信する素材リスト送信手段とをさらに備え、素材選択受付手段は、送信された素材選択用のリストに基づく素材の選択結果を受付けることが望ましい。
【手続補正６】
【補正対象書類名】明細書
【補正対象項目名】００１７
【補正方法】変更
【補正の内容】
【００１７】
また、上述の組合わせ方取得手段の取得する組合わせ方は、素材の位置、色、形状のパターン、縮尺、素材に含まれる線図の太さ、動作、および再生時間の少なくとも１つで規定されることが望ましい。
【手続補正７】
【補正対象書類名】明細書
【補正対象項目名】００１８
【補正方法】変更
【補正の内容】
【００１８】
また、上述の素材情報格納手段は、素材に可能な組合わせ方を選択する方法に関する情報を格納し、テンプレート作成手段は、素材情報格納手段より上記情報を取得してテンプレートを作成することが望ましい。
【手続補正８】
【補正対象書類名】明細書
【補正対象項目名】００１９
【補正方法】変更
【補正の内容】
【００１９】
また、サーバは、素材の組合わせ方を選択する方法に関する情報を格納する選択方法テンプレート格納手段をさらに備え、テンプレート作成手段は、選択方法テンプレート格納手段より上記情報を取得してテンプレートを作成することが望ましい。
【手続補正９】
【補正対象書類名】明細書
【補正対象項目名】００２０
【補正方法】変更
【補正の内容】
【００２０】
また、サーバは、作成したテンプレートを出力するテンプレート出力手段と、出力したテンプレートに基づいて、選択された素材の上記コンテンツに対する組合わせ方の選択結果を受付ける素材組合わせ方受付手段と、その選択結果に基づいて、コンテンツを作成するコンテンツ作成手段とをさらに備えることが望ましい。
【手続補正１０】
【補正対象書類名】明細書
【補正対象項目名】００２１
【補正方法】変更
【補正の内容】
【００２１】
本発明のさらに他の局面に従うと、通信端末は、所定のコンテンツに対して組合わせる素材を選択する素材選択手段と、素材選択手段における選択結果を出力する素材選択出力手段と、選択された素材の上記コンテンツに対する組合わせ方を選択可能なテンプレートを取得するテンプレート取得手段と、取得したテンプレートを表示するテンプレート表示手段とを備える。
【手続補正１１】
【補正対象書類名】明細書
【補正対象項目名】００２２
【補正方法】変更
【補正の内容】
【００２２】
本発明のさらに他の局面に従うと、通信端末は、当該通信端末に関する情報を送信する機器情報送信手段と、所定のコンテンツに対して組合わせる素材を選択する素材選択手段と、素材選択手段における選択結果を出力する素材選択出力手段と、選択された素材の上記コンテンツに対する組合わせ方を選択可能なテンプレートを取得するテンプレート取得手段と、取得したテンプレートを表示するテンプレート表示手段とを備える。
【手続補正１２】
【補正対象書類名】明細書
【補正対象項目名】００２３
【補正方法】変更
【補正の内容】
【００２３】
また、通信端末は、上記テンプレートに基づいて、上記テンプレートから選択した素材の組合わせ方の選択結果を出力する素材組合わせ方出力手段をさらに備えることが望ましい。
【手続補正１３】
【補正対象書類名】明細書
【補正対象項目名】００２４
【補正方法】変更
【補正の内容】
【００２４】
本発明のさらに他の局面に従うと、通信端末は、所定のコンテンツに対して組合わせる素材を選択する素材選択手段と、選択された素材に可能な組合わせ方を取得する組合わせ方取得手段と、取得された組合わせ方から、選択された素材の上記コンテンツに対する組合わせ方を選択可能なテンプレートを作成するテンプレート作成手段とを備える。
【手続補正１４】
【補正対象書類名】明細書
【補正対象項目名】００２５
【補正方法】変更
【補正の内容】
【００２５】
本発明のさらに他の局面に従うと、通信端末は、所定のコンテンツに対して組合わせる素材を選択する素材選択手段と、選択された素材可能な組合わせ方を取得する組合わせ方取得手段と、取得された組合わせ方から、当該通信端末に関する情報に合わせて、選択された素材の上記コンテンツに対する組合わせ方を選択可能なテンプレートを作成するテンプレート作成手段とを備える。
【手続補正１５】
【補正対象書類名】明細書
【補正対象項目名】００２６
【補正方法】変更
【補正の内容】
【００２６】
また、通信端末は、素材に関する情報を格納する素材情報格納手段と、素材情報格納手段から読出した素材に関する情報に基づいて素材選択用のリストを作成する素材リストデータ作成手段とをさらに備え、素材選択手段は、作成された素材選択用のリストに基づいて素材を選択することが望ましい。
【手続補正１６】
【補正対象書類名】明細書
【補正対象項目名】００２７
【補正方法】変更
【補正の内容】
【００２７】
また、上述の組合わせ方取得手段の取得する組合わせ方は、素材の位置、色、形状のパターン、縮尺、素材に含まれる線図の太さ、動作、および再生時間の少なくとも１つで規定されることが望ましい。
【手続補正１７】
【補正対象書類名】明細書
【補正対象項目名】００２８
【補正方法】変更
【補正の内容】
【００２８】
また、上述の素材タ情報格納手段は、素材に可能な組合わせ方を選択する方法に関する情報を格納し、テンプレート作成手段は、素材情報格納手段より上記情報を取得してテンプレートを作成することが望ましい。
【手続補正１８】
【補正対象書類名】明細書
【補正対象項目名】００２９
【補正方法】変更
【補正の内容】
【００２９】
また、通信端末は、素材の組合わせ方を選択する方法に関する情報を格納する選択方法テンプレート格納手段をさらに備え、テンプレート作成手段は、選択方法テンプレート格納手段より上記情報を取得してテンプレートを作成することが望ましい。
【手続補正１９】
【補正対象書類名】明細書
【補正対象項目名】００３０
【補正方法】変更
【補正の内容】
【００３０】
また、通信端末は、作成したテンプレートに基づいて、素材の上記コンテンツに対する組合わせ方を選択するテンプレート選択手段と、テンプレート選択手段における選択結果に基づいて、コンテンツを作成するコンテンツ作成手段とをさらに備えることが望ましい。
【手続補正２０】
【補正対象書類名】明細書
【補正対象項目名】００３１
【補正方法】変更
【補正の内容】
【００３１】
本発明のさらに他の局面に従うと、コンテンツ作成システムは、サーバと通信端末とを含むコンテンツ作成システムであって、サーバは、通信端末より、所定のコンテンツに対して組合わせる素材の選択結果を受付ける素材選択受付手段と、選択された素材に可能な組合わせ方を取得する組合わせ方取得手段と、取得した組合わせ方から、選択された素材の上記コンテンツに対する組合わせ方を選択可能なテンプレートを作成するテンプレート作成手段と、作成したテンプレートを通信端末に対して出力するテンプレート出力手段と、通信端末より、出力したテンプレートに基づいて組合わせ方の選択結果を受付ける素材組合わせ方受付手段と、その選択結果に基づいて、コンテンツを作成するコンテンツ作成手段とを備え、通信端末は、所定のコンテンツの作成に組合わせる素材の選択結果をサーバに対して出力する素材選択出力手段と、サーバから取得したテンプレートに基づいて、組合わせ方の選択結果をサーバに対して出力する素材組合わせ方出力手段とを備える。
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】変更
【補正の内容】
【００３８】
本発明のさらに他の局面に従うと、コンテンツ作成方法は、所定のコンテンツに対して組合わせる素材の選択結果を受付ける素材選択受付ステップと、選択された素材に可能な組合わせ方を取得する組合わせ方取得ステップと、取得された組合わせ方から、選択された素材の上記コンテンツに対する組合わせ方を選択可能なテンプレートを作成するテンプレート作成ステップと、作成したテンプレートを出力するテンプレート出力ステップと、出力したテンプレートに基づいて、組合わせ方の選択結果を受付ける素材組合わせかた受信してプログラムと、選択された組合わせ方に基づいて、コンテンツを作成するコンテンツ作成ステップとを備える。
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】